(57)【要約】【課題】可撓性を保ちつつ捩れ応力による切込みの発生を防止したフレキシブルプリント基板及び電子機器を提供すること。【解決手段】コネクタ実装部１１及び電子部品実装部と、コネクタ実装部１１及び電子部品実装部を接続すると共に、コネクタ実装部１１及び電子部品実装部それぞれよりも接続方向における幅の狭く、コネクタ実装部１１及び電子部品実装部の間を電気的に接続する配線２ａが設けられた連結部１３と、を有する基板本体２を備え、連結部１３に屈曲部１５が設けられており、屈曲部１５における連結部１３の両側縁それぞれには、コネクタ実装部１１に接続される一端と電子部品実装部に接続される他端とにわたって、延長部２６、２７が形成されている。【選択図】図２
2009049114.tif 000002
【特許請求の範囲】
【請求項１】
第１領域と、
第２領域と、
前記第１領域と前記第２領域の間に曲部を有して該第１領域と該記第２領域とを接続すると共に、前記第１領域及び前記第２領域よりも接続方向における幅が狭く、前記第１領域と前記第２領域の間を電気的に接続する配線が設けられた連結部と、
を有する基板本体を備え、
前記連結部の前記曲部における両側縁のうち、少なくとも前記曲部の内側に位置する側縁には、前記第１領域と前記第２領域との間を連続するリブ部が、前記連結部の一面に設けられていることを特徴とするフレキシブルプリント基板。
【請求項２】
前記連結部の両側縁それぞれに、前記リブ部が形成されていることを特徴とする請求項１に記載のフレキシブルプリント基板。
【請求項３】
前記基板本体の一面に、前記第１及び第２領域の一方の少なくとも一部を被覆する被覆本体部と、前記連結部の少なくとも前記一方の側縁に沿って延在して前記リブ部を構成する延長部とを有する補強部材が設けられていることを特徴とする請求項１または２に記載のフレキシブルプリント基板。
【請求項４】
前記第１領域に端子部品が実装され、
前記被覆本体部が、少なくとも前記端子部品の実装領域を被覆することを特徴とする請求項３に記載のフレキシブルプリント基板。
【請求項５】
前記第２領域に電子部品が実装され、
前記被覆本体部が、前記第２領域を被覆することを特徴とする請求項３に記載のフレキシブルプリント基板。
【請求項６】
前記リブ部が、前記基板本体と一体的に形成されていることを特徴とする請求項１または２に記載のフレキシブルプリント基板。
【請求項７】
前記リブ部が、前記連結部の両面に形成されていることを特徴とする請求項１から６のいずれか１項に記載のフレキシブルプリント基板。
【請求項８】
請求項１から７のいずれか１項に記載のフレキシブルプリント基板を備えることを特徴とする電子機器。
【発明の詳細な説明】
【技術分野】
【０００１】
本発明は、フレキシブルプリント基板及び電子機器に関するものである。
【背景技術】
【０００２】
従来より、フレキシブルプリント基板を備える液晶装置などが知られている。このような液晶装置は、例えば携帯電話機など電子機器の表示部として用いられており、電子機器の筐体内において、他の回路基板とフレキシブルプリント基板により接続されている（例えば、特許文献１参照）。
ここで、フレキシブルプリント基板としては、他の回路基板に設けられたコネクタに接続されて他の回路基板との導通を行う端子部と、電子部品などが実装された実装領域と、端子部及び実装領域を連結する連結部とを有するものがある。そして、連結部には、フレキシブルプリント基板の引き回し形状に応じて、面内で屈曲させる屈曲部が形成されることがある。
【特許文献１】特開平８−８８４４８号公報
【発明の開示】
【発明が解決しようとする課題】
【０００３】
しかしながら、上記従来のフレキシブルプリント基板においては、以下の課題が残されている。すなわち、フレキシブルプリント基板により２つの部品間を接続したとき、例えば電子機器を落下させたなどによりフレキシブルプリント基板に捩れの応力が加わることがある。なお、フレキシブルプリント基板は、高い可撓性を付与するために薄肉化されている。そのため、この応力によって屈曲部の側縁に切込みが発生してしまい、この切込みを起点として配線が断線するという問題がある。
【０００４】
本発明は、上記従来の問題に鑑みてなされたもので、可撓性を保ちつつ捩れ応力による切込みの発生を防止したフレキシブルプリント基板及び電子機器を提供することを目的とする。
【課題を解決するための手段】
【０００５】
本発明は、前記課題を解決するために以下の構成を採用した。すなわち、本発明にかかるフレキシブルプリント基板は、第１領域と、第２領域と、前記第１領域と前記第２領域の間に曲部を有して該第１領域と該記第２領域とを接続すると共に、前記第１領域及び前記第２領域よりも接続方向における幅が狭く、前記第１領域と前記第２領域の間を電気的に接続する配線が設けられた連結部と、を有する基板本体を備え、前記連結部の前記曲部における両側縁のうち、少なくとも前記曲部の内側に位置する側縁には、前記第１領域と前記第２領域との間を連続するリブ部が、前記連結部の一面に設けられていることを特徴とする。
【０００６】
この発明では、一方の側縁における機械的強度を増大させることで、連結部に捩れの応力が加わっても、連結部に切込みが発生することを防止できる。
すなわち、フレキシブルプリント基板に捩れ応力が発生したとき、この応力が曲部における両側縁のうち内側に位置する一方側に集中する。しかし、一方の側縁に形成されたリブ部により、連結部の一方の側縁の機械的強度が増大する。また、一方の側縁の両端にわたってリブ部を形成することで、一方の側縁全体にわたって機械的強度が増大する。したがって、一方の側縁に切込みが発生することや、発生した切込みが進行して幅狭部に設けられた配線の断線を防止し、フレキシブルプリント基板による外部との接続信頼性が向上する。
また、連結部の一部に部分的にリブ部を形成するため、連結部全体の可撓性を維持できる。
【０００７】
また、本発明のフレキシブルプリント基板は、前記連結部の両側縁それぞれに、前記リブ部が形成されていることが好ましい。
この発明では、連結部の両側縁にリブ部を形成することで、連結部に切込みが発生することをより確実に防止できる。
【０００８】
また、本発明のフレキシブルプリント基板は、前記基板本体の一面に、前記第１及び第２領域の一方の少なくとも一部を被覆する被覆本体部と、前記連結部の少なくとも前記一方の側縁に沿って延在して前記リブ部を構成する延長部とを有する補強部材が設けられていることが好ましい。
この発明では、延長部が第１及び第２領域の一方を覆う被覆本体部と一体的に形成されているため、リブ部の形成が容易になる。
【０００９】
また、本発明のフレキシブルプリント基板は、前記第１領域に端子部品が実装され、前記被覆本体部が、少なくとも前記端子部品の実装領域を被覆することとしてもよい。
この発明では、端子部品の実装領域の機械的強度が増大することで、端子部品の実装が安定して行える。
【００１０】
また、本発明のフレキシブルプリント基板は、前記第２領域に電子部品が実装され、前記被覆本体部が、前記第２領域を被覆することが好ましい。
この発明では、第２領域の機械的強度が増大することで、電子部品の実装が安定して行える。
【００１１】
また、本発明のフレキシブルプリント基板は、前記リブ部が、前記基板本体と一体的に形成されていることとしてもよい。
この発明では、連結部の一方の側縁における基板本体の厚さを連結部の幅方向中央部における基板本体よりも厚くすることで、一方の側縁における機械的強度を増大させる。
【００１２】
また、本発明のフレキシブルプリント基板は、前記リブ部が、前記連結部の両面に形成されていることが好ましい。
この発明では、リブ部を連結部の両面に形成することで、側縁における機械的強度がさらに増大し、連結部に切込みが発生することをさらに確実に防止できる。
【００１３】
また、本発明の電子機器は、上記記載のフレキシブルプリント基板を備えることを特徴とする。
この発明では、上述したように、曲部における内側の側縁の機械的強度が増大するため、切込みが発生することや、発生した切込みが進行して配線が断線することを防止し、フレキシブルプリント基板による外部との接続信頼性が向上する。
【発明を実施するための最良の形態】
【００１４】
［第１の実施形態］
以下、本発明におけるフレキシブルプリント基板の第１の実施形態を、図面に基づいて説明する。なお、以下の説明に用いる各図面では、各部材を認識可能な大きさとするために縮尺を適宜変更している。ここで、図１はフレキシブルプリント基板の裏面図、図２（ａ）は図１の連結部を示す拡大図、図２（ｂ）は図２（ａ）のＡ−Ａ矢視断面図である。
【００１５】
〔フレキシブルプリント基板〕
本実施形態におけるフレキシブルプリント基板（以下、ＦＰＣ基板と称する）１は、図１及び図２に示すように、フィルム状の基板本体２と、基板本体２の一面に配置された補強板３と、カバーレイ（補強部材）４と、コネクタ（端子部品）５と、電子部品６とを備えている。なお、本実施形態では、基板本体２において補強板３が配置されていない面を一面、補強板３が配置された面を他面とする。
基板本体２は、例えばポリイミドやポリエステルなどのフィルム状の樹脂材料で形成された基材上に配線２ａを形成した構成となっており、可撓性を有している。
また、基板本体２は、平面視でほぼＬ字状であり、コネクタ実装部（第１領域）１１と、電子部品実装部（第２領域）１２と、コネクタ実装部１１及び電子部品実装部１２を連結する連結部１３とを有している。
【００１６】
コネクタ実装部１１は、平面視でほぼ矩形状である。そして、コネクタ実装部１１における一面には、外部と接続されるコネクタ５が実装されている。このコネクタ５は、内部に外部に設けられた他のコネクタを挿入することにより外部と接続する雌型のコネクタであって、コネクタ実装部１１における配線に接続されている。
【００１７】
電子部品実装部１２は、電子部品６を実装する実装領域と、後述する液晶パネルに設けられた外部接続端子に接続されるパネル端子部１４とを備えている。このパネル端子部１４により、液晶パネルとＦＰＣ基板１とが電気的に接続される。そして、電子部品実装部１２の一面には、例えばコンデンサなどの電子部品６が実装されている。
【００１８】
連結部１３は、平面内において屈曲する屈曲部（曲部）１５を有しており、平面視でほぼＬ字状となっている。そして、連結部１３は、コネクタ実装部１１と電子部品実装部１２とを連結している。また、連結部１３の幅は、コネクタ実装部１１及び電子部品実装部１２それぞれの幅よりも狭くなっている。
また、連結部１３の両側縁のうち屈曲部１５において内側に位置する一方には、第１直線部２１ａ、屈曲部２２ａ及び第２直線部２３ａが形成されている。そして、連結部１３の他方の側縁には、第１直線部２１ｂ、屈曲部２２ｂ及び第２直線部２３ｂが形成されている。
連結部１３は、屈曲部１５によりほぼ直角に屈曲される。すなわち、連結部１３において屈曲部１５よりもコネクタ実装部１１側における延在方向と、連結部１３において屈曲部１５よりも電子部品実装部１２側における延在方向とは、ほぼ直交している。
また、連結部１３の一面は、基板本体２の幅方向（基板本体２に設けられた配線の延在方向に対してほぼ直交する方向）に形成された折返線１３Ａを基準として基板本体２を折り返したときに、電子部品実装部１２の一面と対向配置される構成となっている。
【００１９】
補強板３は、例えばポリイミドやガラスエポキシなどで形成されており、基板本体２よりも高い機械的強度を有している。そして、補強板３は、コネクタ実装部の他面の全面を覆っており、基板本体２の他面に接着されている。
【００２０】
カバーレイ４は、例えばポリイミドなどの樹脂材料で形成されており、基板本体２の他面に接着剤により貼付されている。また、カバーレイ４は、電子部品実装部１２を被覆する被覆本体部２５と、被覆本体部２５から延長して設けられて連結部１３の両側縁に沿って延在する延長部（リブ部）２６、２７とを備えている。延長部２６、２７それぞれの幅は、連結部１３における配線２ａの幅よりも広くなっている。また、延長部２６、２７それぞれの高さは、連結部１３における配線２ａの高さよりも高くなっている。
被覆本体部２５は、電子部品実装部１２の一面の全面を被覆しており、電子部品６の実装領域に開口を有している。
延長部２６は、連結部１３の両側縁のうち屈曲部１５において内側に位置する一方に沿って延在している。また、延長部２７は、連結部１３の両側縁のうち屈曲部１５において外側に位置する他方に沿って延在している。
【００２１】
〔液晶装置〕
続いて、以上のような構成のＦＰＣ基板を備える液晶装置について説明する。ここで、図３は液晶装置を示す斜視図、図４は図３の部分拡大図である。
液晶装置５０は、図３及び図４に示すように、液晶パネルやバックライト（図示略）などが貼り合わされた液晶装置本体５１と、ＦＰＣ基板１と、液晶装置本体５１及びＦＰＣ基板１が収納される筐体５２と、筐体５２を収容する第１及び第２外枠５３、５４とを備えている。
液晶パネルは、例えばガラスなどの２枚の透明基板を貼り合わせ、この２枚の透明基板の間に例えばＴＮ（Twisted Nematic）液晶などの液晶材料を封止したものである。また、液晶パネルには、ＦＰＣ基板１に接続される外部接続端子（図示略）が設けられている。
また、バックライトは、液晶パネル表示面の反対側に貼付され、例えばＬＥＤ（Light Emitting Diode）などの光源と、光源から射出した光を液晶パネル面内に均一に導くための例えばアクリル樹脂などの導光板（図示略）とを備えている。
【００２２】
筐体５２は、例えば樹脂材料で形成されている。また、筐体５２には、筐体５２の内部から外部へとＦＰＣ基板１を引き出すための切欠部５２ａが形成されている。なお、ＦＰＣ基板１は、電子部品実装部１２の他面が筐体５２の底面と対向すると共に、コネクタ実装部１１及び連結部１３それぞれの他面が上面を向くように配置されている。
【００２３】
第１外枠５３は、例えばステンレスなどの金属材料で形成されており、筐体５２を収容する。
第２外枠５４は、例えばステンレスなどの金属材料で形成されており、第１外枠５３の一部と、液晶装置本体５１における液晶表示部分を除く部分と、ＦＰＣ基板１におけるコネクタ実装部１１及び連結部１３におけるコネクタ実装部１１側の端部を除く部分とを覆うように設けられている。
ＦＰＣ基板１のコネクタ５は、例えば携帯電話機のように液晶装置５０を備える電子機器の筐体内に配置された他の回路基板に接続される。これにより、コネクタ実装部１１は、固定端となる。
【００２４】
〔電子機器〕
以上のような構成の液晶装置５０は、例えば図５に示すような携帯電話機（電子機器）１００の表示部１０１として用いられる。この携帯電話機１００は、表示部１０１、複数の操作ボタン１０２、受話口１０３、送話口１０４及び上記表示部１０１を有する本体部を備えている。ここで、ＦＰＣ基板１のコネクタ５は、携帯電話機１００内に配置された他の回路基板に接続される。
【００２５】
このような構成の携帯電話機１００では、落下させるなどにより携帯電話機１００内部に衝撃を与えると、ＦＰＣ基板１に捩れ応力が付与されることがある。ここで、ＦＰＣ基板１は、液晶パネルに設けられた外部接続端子と携帯電話機１００内に配置された他の回路基板とのそれぞれに接続固定されている。そして、上述したように、液晶パネルが筐体５２や第１及び第２外枠５３、５４内に収納されており、ＦＰＣ基板１のコネクタ実装部１１及び連結部１３の一部が筐体５２や第１及び第２外枠５３、５４から露出している。そのため、捩れによる応力は、連結部１３における屈曲部１５に集中する。特に、捩れによる応力は、屈曲部１５における両側縁のうち屈曲部１５における曲がり方向内側の一方の側縁である屈曲部２２ａに集中する。
しかし、延長部２６が一方の側縁においてコネクタ実装部１１に接続される一端と電子部品実装部１２に接続される他端とにわたって延在することで、一方の側縁における機械的強度が増大している。したがって、捩れ応力により、ＦＰＣ基板１が屈曲部１５において切れにくくなる。
【００２６】
以上のように、本実施形態におけるＦＰＣ基板１及び液晶装置５０によれば、延長部２６、２７により連結部１３の両側縁それぞれの全体にわたって機械的強度が増大するため、屈曲部１５の内側の側縁に切込みが発生することや、発生した切込みが進行して配線２が断線することを防止できる。したがって、ＦＰＣ基板１による外部との接続信頼性が向上する。また、延長部２６、２７それぞれを連結部１３の両側縁であって連結部１３の一部に形成しているため、連結部１３全体の可撓性を維持できる。
そして、延長部２６、２７がカバーレイ４に一体的に形成されているため、連結部１３の両側縁における機械的強度を容易に増大させることができる。
さらに、カバーレイ４の被覆本体部２５が電子部品実装部１２を被覆することで、電子部品実装部１２の機械的強度が増大しているため、電子部品実装部１２において電子部品６を安定して実装できる。
【００２７】
［第２の実施形態］
以下、本発明におけるフレキシブルプリント基板の第２の実施形態を、図面に基づいて説明する。なお、本実施形態では、第１の実施形態と補強板及びカバーレイそれぞれの形状が異なるため、この点を中心に説明すると共に、上記実施形態で説明した構成要素には同一符号を付し、その説明を省略する。ここで、図６（ａ）は連結部を示す拡大図、図６（ｂ）は図６（ａ）のＢ−Ｂ矢視断面図である。
【００２８】
本実施形態におけるＦＰＣ基板１１０の補強板１１１は、図６に示すように、コネクタ実装部１１の他面の全面を覆う被覆本体部１１２と、被覆本体部１１２から延長して設けられて連結部１３の両側縁に沿って延在する延長部１１３、１１４とを備えている。
延長部１１３は連結部１３の一方の側縁に沿って延在しており、延長部１１４は連結部１３の他方の側縁に沿って延在している。そして、延長部１１３、１１４それぞれの幅は、連結部１３における配線２ａの幅よりも広くなっている。また、延長部１１３、１１４それぞれの高さは、連結部１３における配線２ａの高さよりも高くなっている。
カバーレイ（図示略）は、電子部品実装部１２の一面の全面のみを覆っている。
【００２９】
以上のような構成のＦＰＣ基板１１０においても、上述と同様の作用、効果を奏する。
【００３０】
［第３の実施形態］
以下、本発明におけるフレキシブルプリント基板の第３の実施形態を、図面に基づいて説明する。なお、本実施形態では、第１の実施形態と連結部及びカバーレイの形状が異なるため、この点を中心に説明すると共に、上記実施形態で説明した構成要素には同一符号を付し、その説明を省略する。ここで、図７（ａ）は連結部を示す拡大図、図７（ｂ）は図７（ａ）のＣ−Ｃ矢視断面図である。
【００３１】
本実施形態におけるＦＰＣ基板１２０の連結部１２１の両側縁それぞれには、図７に示すように、リブ部１２２、１２３が形成されている。このリブ部１２２、１２３それぞれは、基板本体１２４の一面に突出して設けられており、連結部１２１の両側縁それぞれにおける基板本体１２４の厚さを連結部１２１の幅方向中央部よりも厚くすることによって形成されている。そして、リブ部１２２、１２３それぞれの幅は、連結部１３における配線２ａの幅よりも広くなっている。また、リブ部１２２、１２３それぞれの高さは、連結部１３における配線２ａの高さよりも高くなっている。
また、補強板３は、コネクタ実装部１１の他面の前面のみを覆っている。
そして、カバーレイ（図示略）は、電子部品実装部１２の一面の全面のみを覆っている。
【００３２】
以上のような構成のＦＰＣ基板１２０においても、上述と同様の作用、効果を奏する。
なお、本実施形態では、リブ部１２２、１２３を基板本体１２４の一面から突出するように形成しているが、リブ部１２２、１２３を基板本体１２４の他面から突出するように形成してもよく、リブ部１２２、１２３の一方を一面から突出して形成すると共に他方を他面から突出して形成してもよい。
【００３３】
［第４の実施形態］
以下、本発明におけるフレキシブルプリント基板の第４の実施形態を、図面に基づいて説明する。なお、本実施形態では、第１の実施形態と補強板の形状が異なるため、この点を中心に説明すると共に、上記実施形態で説明した構成要素には同一符号を付し、その説明を省略する。ここで、図８（ａ）は連結部を示す拡大図、図８（ｂ）は図８（ａ）の裏面図、図８（ｃ）は図８（ａ）のＤ−Ｄ矢視断面図である。
【００３４】
本実施形態におけるＦＰＣ基板１３０は、図８に示すように、補強板１１１とカバーレイ４とを有している。
すなわち、連結部１３の一面の両側縁それぞれには、延長部２６、２７が延在している。また、連結部１３の他面の両側縁それぞれには、延長部１１３、１１４が延在している。
【００３５】
以上のような構成のＦＰＣ基板１３０においても、上述と同様の作用、効果を奏するが、連結部１３の両面における両側縁それぞれに延長部２６、２７、１１３、１１４が設けられているため、機械的強度がさらに向上し、連結部１３に切込みがより発生しにくくなる。
なお、本実施形態では、基板本体２に補強板１１１及びカバーレイ４それぞれを貼付することで連結部１３の両面における両側縁を連結部１３の幅方向中央部よりも厚くしているが、他の構造により連結部１３の両面における両側縁を連結部１３の幅方向中央部よりも厚くしてもよい。例えば、連結部１３におけるＦＰＣ基板の構成は、延長部１１３、１１４に代えて、第３の実施形態のように連結部１３の他面における両側縁それぞれにリブ部を形成する構成としてもよい。また、連結部１３におけるＦＰＣ基板の構成は、延長部２６、２７に代えて、第３の実施形態のように連結部１３の一面における両側縁それぞれにリブ部を形成する構成としてもよい。さらに、連結部１３におけるＦＰＣ基板の構成は、延長部２６、２７、１１３、１１４に代えて、連結部１３の両面における両側縁それぞれにリブ部を形成する構成としてもよい。
【００３６】
なお、本発明は上記実施形態に限定されるものではなく、本発明の趣旨を逸脱しない範囲において種々の変更を加えることが可能である。
例えば、連結部には、屈曲部が形成されているが、湾曲部が形成されていてもよい。ここで、湾曲部における曲率半径が小さいほど、湾曲部における一方の側縁に加わる捩れ応力が大きくなる。
また、延長部またはリブ部は、連結部の両側縁に形成されているが、少なくとも屈曲部における曲げ方向で内側に位置する一方の縁部に形成されていればよい。
そして、カバーレイは、基板本体の一面に貼付されているが、電子部品実装部において電子部品を実装する際の十分な機械的強度が得られれば、他面に貼付した構成としてもよく、カバーレイを設けない構成としてもよい。同様に、補強板は、基板本体の他面に貼付されているが、コネクタを実装する際の十分な機械的強度が得られれば、一面に貼付した構成としてもよく、補強板を設けない構成としてもよい。
さらに、延長部が一体的に形成されたカバーレイや補強板を貼付することで連結部の両側縁にリブ部を形成しているが、連結部の両側縁に別途他のリブ部材を設けることでリブ部を形成してもよい。
【００３７】
また、ＦＰＣ基板は、液晶装置に用いられているが、液晶装置に限らず、有機ＥＬ装置や電気泳動表示装置など他の電気光学装置であってもよく、電気光学装置以外の他の装置であってもよい。
さらに、電子機器は、ＦＰＣ基板を備えていれば上述した携帯電話機に限らず、電子ブックやパーソナルコンピュータ、デジタルスチルカメラ、液晶テレビ、ビューファインダ型またはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などであってもよい。
【図面の簡単な説明】
【００３８】
【図１】第１の実施形態におけるフレキシブルプリント基板を示す平面図である。
【図２】図１の連結部を示す拡大図及び断面図である。
【図３】液晶装置を示す斜視図である。
【図４】図３の部分拡大図である。
【図５】携帯電話機を示す外観斜視図である。
【図６】第２の実施形態における連結部を示す拡大図及び断面図である。
【図７】第３の実施形態における連結部を示す拡大図及び断面図である。
【図８】第４の実施形態における連結部を示す拡大図及び断面図である。
【符号の説明】
【００３９】
１，１１０，１２０，１３０  ＦＰＣ基板、２，１２４  基板本体、２ａ  配線、４  カバーレイ（被覆部材）、５  コネクタ（端子部品）、６  電子部品、１１  コネクタ実装部（第１領域）、１２  電子部品実装部（第２領域）、１３，１２１  連結部、１５  屈曲部、２５，１１２  被覆本体部、２６，２７，１１３，１１４  延長部（リブ部）、１００  携帯電話機（電子機器）、１１１  補強板（被覆部材）、１２２，１２３  リブ部
【図１】
2009049114.tif 000003
【図２】
2009049114.tif 000004
【図３】
2009049114.tif 000005
【図４】
2009049114.tif 000006
【図５】
2009049114.tif 000007
【図６】
2009049114.tif 000008
【図７】
2009049114.tif 000009
【図８】
2009049114.tif 000010